(57)【要約】  サイン本体と、該サイン本体に前面側から取り付けられる前面板と、該前面板の背後に位置する表示部と、該表示部の背後に位置して表示部を内照する光源とを備え、前面板を取り外すことにより表示部をサイン本体の前側から取り外す構成の内照式サインであって、前記前面板の背面側と前記サイン本体との間にパッキン材を全周に亘って介在させ、該パッキン材を介して前記前面板を前側から前記サイン本体側に押圧する圧縮手段を備える。【特許請求の範囲】
【請求項１】
サイン本体と、該サイン本体に前面側から取り付けられる前面板と、該前面板の背後に位置する表示部と、該表示部の背後に位置して表示部を内照する光源とを備え、前面板を取り外すことにより表示部をサイン本体の前側から取り外す構成の内照式サインであって、前記前面板の背面側と前記サイン本体との間にパッキン材を全周に亘って介在させ、該パッキン材を介して前記前面板を前側から前記サイン本体側に押圧する圧縮手段を備えることを特徴とする内照式サイン。
【請求項２】
前記前面板は、前記表示部により兼ねられるものであることを特徴とする請求項１に記載の内照式サイン。
【請求項３】
前記前面板と前記サイン本体との間に透光性の中間板を備え、前記パッキン材として、前記前面板と前記中間板との間に挟まれる前側パッキン材と、前記中間板と前記サイン本体との間に挟まれる後側パッキン材とを備え、前記前側パッキン材を介して前記中間板に前記前面板を押圧する第１の圧縮手段と、前記後側パッキン材を介して前記サイン本体に前記中間板を押圧する第２の圧縮手段とを備えることを特徴とする請求項１又は請求項２に記載の内照式サイン。
【請求項４】
前記前面板は、前記サイン本体に取り付けられた枠体により保持され、該枠体は、前記サイン本体への取付部及び外側縁部に設けられた枢軸部を備えた固定部材と、前記枢軸部に嵌着される嵌着部を有して回動可能となされる可動部材とを相対向して備え、前記嵌着部が前期枢軸部に嵌着されて前記可動部材が前記枢軸部を支点に回動自在になされるとともに、前記可動部材と固定部材との間にバネが設けられ、該バネにより前記可動部材は閉合方向に付勢され、該バネの閉合方向への付勢力により前記可動部材が前記前側パッキン材の圧縮手段となされていることを特徴とする請求項３に記載の内照式サイン。
【請求項５】
前記サイン本体は矩形であり、該サイン本体の四辺には開閉自在な可動部材が各々設けられ、該可動部材を閉合することにより前記前面板が前記サイン本体に保持され、閉合状態の前記可動部材を前記サイン本体に着脱可能に締結する締結手段を備えることを特徴とする請求項１に記載の内照式サイン。
【請求項６】
前記可動部材と前記サイン本体との間にバネが設けられ、該バネにより前記可動部材は閉合方向に付勢され、該バネの閉合方向への付勢力により前記可動部材が前記圧縮手段となされていることを特徴とする請求項５に記載の内照式サイン。
【請求項７】
前記前面板は、前記サイン本体に取り付けられた枠体により保持され、該枠体は、前記サイン本体への取付部及び外側縁部に設けられた枢軸部を備えた固定部材と、前記枢軸部に嵌着される嵌着部を有して回動可能となされる可動部材とを相対向して備え、前記嵌着部が前期枢軸部に嵌着されて前記可動部材が前記枢軸部を支点に回動自在になされ、前記枠体には前記サイン本体の四隅のうちの少なくとも二隅に隅部材が前記固定部材に取り付けられ、前記隅部材と前記可動部材とが着脱可能な締結手段により締結されていることを特徴とする請求項５に記載の内照式サイン。
【請求項８】
前記サイン本体の背面には、上方にフードを有する換気口が形成されていることを特徴とする請求項１乃至請求項７のいずれかに記載の内照式サイン。
【請求項９】
前記可動部材は閉合状態においてその先端部が前記前面板と当接し、かつ、閉合状態において前記可動部材の先端部と前記前面板との間に段差が生じないように、前記可動部材の先端部は先端に向けて徐々に薄肉とされていることを特徴とする請求項４乃至請求項７のいずれかに記載の内照式サイン。
【発明の詳細な説明】
【技術分野】
【０００１】
本発明は、とりわけ屋外において好適に用いることができる内照式サインに関するものである。
【背景技術】
【０００２】
光源としてＥＬや導光板を用いて薄型とした内照式のサインとしては、例えば特許文献１において、板状本体と、透光性を有し板状本体の正面に設けられる広告等の表示部と、板状本体に内設され板状本体内部より表示部を照らす光源とを有する内照式サインボードにおいて、板状本体の少なくとも上部に設けられた収容部と、収容部へ出没自在に設けられたフックとを備え、板状本体を上下逆様にすることによって、少なくともフック先端が収容部内から板状本体の外部へ露出するものである内照式サインボードが開示されている。
【特許文献１】日本国特開平１１−２１９１３９号公報
【０００３】
しかしながら、特許文献１に記載の如き従来の内照式サインでは、光源の水密性が低く光源に水分が接触して故障等の不具合の発生を招く恐れがあり、雨水に曝される屋外においては耐久性に問題があった。また表示内容の変更や、光源のメンテナンスが必要となった場合には前面側から表示部の取り外し等繁雑な作業が必要なものであった。
【発明の開示】
【発明が解決しようとする課題】
【０００４】
本発明は上記の如き課題に鑑みてなされたものであり、光源の水密性が高く、表示内容の変更及び光源のメンテナンスに係わる作業を簡便なものとできる内照式サインを提供せんとするものである。
【課題を解決するための手段】
【０００５】
上記課題を解決するため、本発明は次のような構成としている。
即ち、請求項１に係る本発明の内照式サインは、サイン本体と、該サイン本体に前面側から取り付けられる前面板と、該前面板の背後に位置する表示部と、該表示部の背後に位置して表示部を内照する光源とを備え、前面板を取り外すことにより表示部をサイン本体の前側から取り外す構成の内照式サインであって、前記前面板の背面側と前記サイン本体との間にパッキン材を全周に亘って介在させ、該パッキン材を介して前記前面板を前側から前記サイン本体側に押圧する圧縮手段を備えることを特徴とするものである。【０００６】
次に、請求項２に係る本発明の内照式サインは、前記前面板は、前記表示部により兼ねられるものであることを特徴とするものである。【０００７】
次に、請求項３に係る本発明の内照式サインは、前記前面板と前記サイン本体との間に透光性の中間板を備え、前記パッキン材として、前記前面板と前記中間板との間に挟まれる前側パッキン材と、前記中間板と前記サイン本体との間に挟まれる後側パッキン材とを備え、前記前側パッキン材を介して前記中間板に前記前面板を押圧する第１の圧縮手段と、前記後側パッキン材を介して前記サイン本体に前記中間板を押圧する第２の圧縮手段とを備えることを特徴とするものである。【０００８】
次に、請求項４に係る本発明の内照式サインは、前記前面板は、前記サイン本体に取り付けられた枠体により保持され、該枠体は、前記サイン本体への取付部及び外側縁部に設けられた枢軸部を備えた固定部材と、前記枢軸部に嵌着される嵌着部を有して回動可能となされる可動部材とを相対向して備え、前記嵌着部が前期枢軸部に嵌着されて前記可動部材が前記枢軸部を支点に回動自在になされるとともに、前記可動部材と固定部材との間にバネが設けられ、該バネにより前記可動部材は閉合方向に付勢され、該バネの閉合方向への付勢力により前記可動部材が前記前側パッキン材の圧縮手段となされていることを特徴とするものである。【０００９】
次に、請求項５に係る本発明の内照式サインは、前記サイン本体は矩形であり、該サイン本体の四辺には開閉自在な可動部材が各々設けられ、該可動部材を閉合することにより前記前面板が前記サイン本体に保持され、閉合状態の前記可動部材を前記サイン本体に着脱可能に締結する締結手段を備えることを特徴とするものである。【００１０】
次に、請求項６に係る本発明の内照式サインは、前記可動部材と前記サイン本体との間にバネが設けられ、該バネにより前記可動部材は閉合方向に付勢され、該バネの閉合方向への付勢力により前記可動部材が前記圧縮手段となされていることを特徴とするものである。【００１１】
次に、請求項７に係る本発明の内照式サインは、前記前面板は、前記サイン本体に取り付けられた枠体により保持され、該枠体は、前記サイン本体への取付部及び外側縁部に設けられた枢軸部を備えた固定部材と、前記枢軸部に嵌着される嵌着部を有して回動可能となされる可動部材とを相対向して備え、前記嵌着部が前期枢軸部に嵌着されて前記可動部材が前記枢軸部を支点に回動自在になされ、前記枠体には前記サイン本体の四隅のうちの少なくとも二隅に隅部材が前記固定部材に取り付けられ、前記隅部材と前記可動部材とが着脱可能な締結手段により締結されていることを特徴とするものである。【００１２】
次に、請求項８に係る本発明の内照式サインは、前記サイン本体の背面には、上方にフードを有する換気口が形成されていることを特徴とするものである。【００１３】
次に、請求項９に係る本発明の内照式サインは、前記可動部材は閉合状態においてその先端部が前記前面板と当接し、かつ、閉合状態において前記可動部材の先端部と前記前面板との間に段差が生じないように、前記可動部材の先端部は先端に向けて徐々に薄肉とされていることを特徴とするものである。
【発明の効果】
【００１４】
請求項１に係る本発明の内照式サインによれば、前面板の背面側とサイン本体との間にパッキン材を全周に亘って介在させ、該パッキン材を介して前面板を前側からサイン本体側に押圧する圧縮手段を備えることで、サイン本体の前側からの光源の水密性が高められ、更に圧縮手段を着脱することで、サイン本体から前面板を容易に取り外すことができ、簡便な作業で表示部の表示内容の変更及び光源のメンテナンスを行うことができる。【００１５】
請求項２に係る本発明の内照式サインによれば、表示部が前面板を兼ねることで、形成に係わる材料の低減に繋がり好ましい。【００１６】
請求項３に係る本発明の内照式サインによれば、前側パッキン材の第１の圧縮手段、後側パッキン材の第２の圧縮手段を各々着脱することで、それぞれ表示部の表示内容の変更、光源のメンテナンスを行うことができ、これらの作業が更に簡便なものとなり好ましい。【００１７】
請求項４に係る本発明の内照式サインによれば、可動部材を開閉することで容易に表示部の表示内容の変更ができ、また、可動部材をバネの付勢力によって閉合すれば圧縮手段となることで、表示部の表示内容の変更に係わる作業は極めて簡便且つ迅速なものすることができ好ましい。【００１８】
請求項５に係る本発明の内照式サインによれば、通常時においては可動部材の回動が規制されて前面板の保持が確実になされて悪戯や盗難等の防止ができ、締結手段による締結を外すことで表示部の表示内容の変更及び光源のメンテナンスが可能となされる。【００１９】
請求項６に係る本発明の内照式サインによれば、可動部材をバネの付勢力によって閉合すれば圧縮手段となることで、サイン本体の前側からの光源の水密性を高めることができ好ましい。【００２０】
請求項７に係る本発明の内照式サインによれば、通常時においては可動部材の回動が規制されて前面板の保持が確実になされて悪戯や盗難等の防止ができ、締結手段による締結を外すことで表示部の表示内容の変更及び光源のメンテナンスが可能となされるとともに、隅部材は矩形をなす隅に設けられていることで、前面板の交換時の邪魔になることがない。【００２１】
請求項８に係る本発明の内照式サインによれば、サイン本体内の湿気を放出できて結露の発生を防止することができ好ましい。【００２２】
請求項９に係る本発明の内照式サインによれば、閉合状態において可動部材に手指を引っ掛けることが困難であり、可動部材を容易に開放できず悪戯や盗難等を防止することができ好ましい。
【図面の簡単な説明】
【００２３】
【図１】本発明の第１の実施形態の内照式サインの可動部材の閉合時及び開放時の状態を示す斜視図である。
【図２】図１のＡ−Ａ線における可動部材の閉合時及び開放時の状態を示す断面図である。
【図３】本発明の第２の実施形態の内照式サインの可動部材の閉合時及び開放時の状態を示す斜視図である。
【図４】図３におけるＢ部及びＣ部の詳細を示す説明図である。
【図５】図３のＤ−Ｄ線における可動部材の閉合時及び開放時の状態を示す斜視図である。
【図６】図３のＥ−Ｅ線における断面図である。
【図７】図３のＦ−Ｆ線における断面図である。
【図８】本発明の第３の実施形態の内照式サインの要部断面図である。
【図９】本発明の第４の実施形態の内照式サインの要部断面図である。
【図１０】本発明の第５の実施形態の内照式サインの要部断面図である。
【図１１】本発明の取付例を説明する説明図である。
【符号の説明】
【００２４】
１    表示部
２    光源
３    前面板
４    背面板（サイン本体）
５    中間板
６    枠体
６１    固定部材
６２    可動部材
６３    枢軸部
６４    嵌着部
７    バネ
８１    前側パッキン材
８２    後側パッキン材
９    隅部材
１０Ａ    内照式サイン（第１の実施形態）
１０Ｂ    内照式サイン（第２の実施形態）
１０Ｃ    内照式サイン（第３の実施形態）
１０Ｄ    内照式サイン（第４の実施形態）
１０Ｅ    内照式サイン（第５の実施形態）
【発明を実施するための最良の形態】
【００２５】
以下、本発明の実施形態を図面に基づいて詳細に説明する。図１は、本発明の第１の実施形態の内照式サイン１０Ａを示す斜視図で、（ａ）は可動部材の閉合時、（ｂ）は可動部材の開放時である。図２は、図１（ａ）のＡ−Ａ線における断面図で、（ａ）は可動部材６２の閉合時、（ｂ）は可動部材６２の開放時を示すものである。【００２６】
図１（ａ）に示すように、内照式サイン１０Ａは、周囲に枠体６が形成され、枠体６の内側に前面板３が設けられており、前面板３から発光による情報表示がなされる平面矩形のものである。また、枠体６は、図１（ｂ）に示すように、固定部材６１に対して可動部材６２が開放されるようになされており、四辺の可動部材６２の全てを開放することで前面板３及び表示部１が前面側から外れるようになされている、表示部１は、全周に亘って前側パッキン材８１により囲まれている。【００２７】
図２（ａ）に示すように、内照式サイン１０Ａは、前面側αから透明なポリカーボネートからなる前面板３が配置され、前面板３の背後に透光性の乳半白色のアクリル板に情報が描画されている表示部１が設けられている。表示部１の背後には、エレクトリックルミネセンスである面状の光源２が、表示部１の背後略全体に亘って配置されているが、光源２と表示部１との間には、透明なアクリル板である中間板５が設けられている。光源２の背後にはサイン本体として用いられている白色のアクリル板である背面板４が配置され、これらが一体に積層されることで、表示部１が発光して情報を表示する内照式サイン１０Ａが形成される。【００２８】
表示部１や光源２等は、周囲に形成された枠体６により保持されているが、枠体６は比較的強度の高い背面板４に取り付けられ、前面側αに開放される可動部材６２と、背面板４に固定された固定部材６１とが相対向して備えられ、固定部材６１及び可動部材６２は同一断面が連続して形成されている押出形材からなるものである。固定部材６１に設けられた取付部６５にボルトＢ１が挿通され、ナットＮ１が螺着されることで固定部材６１は背面板４に固定されており、固定部材６１の外側縁部に設けられた枢軸部６３に、可動部材６２に備えられ円弧状内面を有する嵌着部６４が回動可能に嵌着されて、可動部材６２が枢軸部６３を支点に開閉自在となされている。更に、可動部材６２と固定部材６１との間にはバネ７が設けられ、バネ７により可動部材６２には閉合方向である矢印Ｙ１の方向に付勢力が備えられている。【００２９】
前面板３と中間板５との間には前側パッキン材８１が挟まれているが、バネ７による閉合方向への付勢力により前面板３が背面側に押さえつけられることで、前側パッキン材８１が圧縮されて、前面板３と中間板５との間に設けられている表示部１の水密性が高められている。また、背面板４と中間板５との間には後側パッキン材８２が挟まれているが、固定部材６１に備えられた段差部６６と中間板５とが嵌着され、取付部６５に挿通されたボルトＢ１に螺着したナットＮ１を締め込んでゆくことで、固定部材６１が中間板５を背後側に押さえつけ、背面板４と中間板５とにより後側パッキン材８２が圧縮されて、背面板４と中間板５との間に設けられている光源２の水密性が高められている。【００３０】
バネ７は、可動部材６２の開放角度が４５度となされたときに開閉方向の付勢力が均衡する構造となされており、図２（ｂ）に示すように、可動部材６２の開放角度が約９０度となされた場合には、バネ７による付勢力は開放方向である矢印Ｙ２の方向となされる。可動部材６２を開放することで、前面板３及び表示部１は枠体６等から前面側αに自由に取り外すことができ、表示部１の変更を容易に行うことができ、また、交換後も可動部材６２を再度閉合することのみで、表示部１を水密性の高い状態に復帰させることができる。光源２のメンテナンス時には、前面板３や表示部１等を特に外すことなく、ナットＮ１を外して背面板４を背面側に取り外すことで容易に行うことができ、また、メンテナンス後に再度ナットＮ１を螺着するのみで、光源２を水密性の高い状態に復帰させることができる。前側パッキン材８１については、可動部材６２及びバネ７が第１の圧縮手段となり、後側パッキン材８２については、ボルトＢ１及びナットＮ１が第２の圧縮手段となされ、それぞれの圧縮手段が別個に設けられていることで、表示部１の表示内容の交換と、光源２のメンテナンスは簡便な作業により行うことができる。【００３１】
また、表示部１は前面板３を兼ねるものとしてもよい。例えば透光性の板状体の裏面側に印刷等により情報を描画して表示部１を形成し、表示部１と中間板５との間に前側パッキン材８１を挟み込んで圧縮することで、描画された情報が水分から隔離されてその劣化度合いを小さくできる。【００３２】
光源２については、エレクトリックルミネセンスを用いることで厚みが小さく面状の発光を行うことができるが、面状のものであれば特に限定されるものではなく、ＬＥＤを発光体として用いた導光板等、適宜のものを用いることができる。【００３３】
前側パッキン材８１及び後側パッキン材８２を形成する材料としては、弾性を有する合成樹脂を好適に用いることができ、天然ゴムやブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニル樹脂、スチレン−ブタジエン系やポリオレフィン系、ポリエステル系、ポリ塩化ビニル系、ポリウレタン系、ポリアミド系等のエラストマー等の各種合成ゴムや合成樹脂等からなる弾性材やそれらを発泡させたもの等を用いることができる。【００３４】
次に、本発明の第２の実施形態について説明する。図３は、第２実施形態の内照式サイン１０Ｂを示す斜視図で、（ａ）は可動部材の閉合時、（ｂ）は可動部材の開放時を示すものである。図４は、図３（ｂ）におけるＢ部及びＣ部の詳細図で、（ａ）がＢ部、（ｂ）がＣ部を示すものである。図５は、図３（ａ）のＤ−Ｄ線における可動部材の閉合時及び開放時の状態を示す断面図で、（ａ）は可動部材の閉合時、（ｂ）は可動部材の開放時である。図６及び図７は、図３（ａ）のＥ−Ｅ線及びＦ−Ｆ線における断面図である。尚、図３乃至図７においては、第１の実施形態と同一又は相当する部分には同一符号を付してある。【００３５】
図３（ａ）に示すように、内照式サイン１０Ｂは、周囲に枠体６が形成され、枠体６の内側には、その背面に表示部１を一体的に有する前面板３が設けられており、前面板３から発光による情報表示がなされる平面矩形のものである。枠体６の平面矩形を形成する四隅には、隅部材９が設けられている。枠体６の背面側には、光源（本図においては図示せず）を収納している照明駆体２１が設けられている。また、図３（ａ）においては、便宜上、内照式サイン１０Ｂの対象物への取り付け時に手前側が上方となるようにしているが、手前側にクランク状の吊り下げ用金具Ｈが、照明駆体２１と枠体６との間に挟持されて取り付けられている。また、枠体６は、図３（ｂ）に示すように、固定部材６１に対して可動部材６２が開放されるようになされており、四辺の可動部材６２の全てを開放することで前面板３が前面側から外れるようになされている。また、前面板３の背面側には、照明駆体２１内の光源や機器類等を保護する中間板５が設けられ、中間板５の前面の端縁付近は全周に亘って前側パッキン材８１により囲まれている。【００３６】
図４（ａ）に示すように、枠体６の四隅の内の一隅を占める隅部材９は、枠体６が延設される方向に沿ってビス止め部９１が突設され、上方からビスＢ２がビス止め部９１及び固定部材６１に螺着されることで、隅部材９が固定部材６１に取り付けられる。固定部材６１の上面は、前側パッキン材８１の上面より僅かに高くなされ、隅部材９が固定部材６１に取り付けられることで、隅部材９と前側パッキン材８１との間に隙間Ｓが設けられ、この隙間Ｓに前面板３の角部３１が嵌入されて保持されることで、前面板３の可動部材６２による本固定前の仮固定を行うことができる。【００３７】
次に、図４（ｂ）に示すように、枠体６の可動部材６２が開放された状態で、固定部材６１の前面板３側に切欠き部Ｋが設けられている。切欠き部Ｋは、作業者の手指が入る程度の大きさとなされ、表示部１の交換等において前面板３を取り外す必要が生じた場合に、作業者が切欠き部Ｋに手指を入れて前面板３を前面側にたわませることで、隅部材９と前側パッキン材８１との間に嵌入されて仮固定されている前面板３を容易に取り外すことができるようになされている。【００３８】
図５に示すように、サイン本体として用いられる照明駆体２１は、内側に折り返し部２１１が設けられた筺状となされ、内部に蛍光管である光源２が設けられている。この折り返し部２１１が後側パッキン材８２の背面に配置されて背面板４として働くことで、後側パッキン材８２は表示部１と背面板４との間に圧縮して挟まれる。枠体６は、前面側αに開放される可動部材６２と、背面板４に固定された固定部材６１とが相対向して備えられ、固定部材６１及び可動部材６２は同一断面が連続して形成されている押出形材からなるものである。固定部材６１はプレートＰにボルト部が溶接されたスタッドボルトＢ３を用いて照明駆体２１の折り返し部２１１に取り付けられ、折り返し部２１１の下方からスタッドボルトＢ３が折り返し部２１１及び固定部材６１に挿通され、ナットＮ３がスタッドボルトＢ３に螺着されることで固定される。スタッドボルトＢ３及びナットＮ３は、可動部材６２の閉合時には可動部材６２により隠されて周囲から見えることがないようになされている。固定部材６１には、更にコーナー部材（本図においては図示せず）を嵌挿して取り付ける蟻溝状の取付溝６７が、長さ方向に連続して設けられている。【００３９】
スタッドボルトＢ３のプレートＰの上面と折り返し部２１１の下面との間には、新たなパッキン材を挟むか、防水性の接着剤等を充填することで、挿通されたスタッドボルトＢ３周辺から照明駆体２１内に水分等が侵入するのを防止しておくのが好ましい。【００４０】
固定部材６１には、下面が切り欠かれて一体に段差部６６が設けられ、段差部６６に中間板５の上端縁が嵌着されることで、固定部材６１に挿通されたスタッドボルトＢ３に螺着したナットＮ３を締め込んでゆくことで、固定部材６１が中間板５を背後側に押さえつけ、背面板４と中間板５とにより後側パッキン材８２が圧縮されて照明駆体２１内部の水密性が確保されている。【００４１】
また、クランク状の吊り下げ用金具Ｈは、その一端が固定部材６１と折り曲げ部２１１との間に挟持され、かつ、スタッドボルトＢ３が挿通されて固定部材６１とともにナットＮ３が螺着されることで折り曲げ部２１１に固定されて取り付けられている。内照式サイン１０Ｂは、吊り下げ用金具Ｈに穿設された取付孔Ｈ１を用いて壁面や梁材等の取り付け対象物に吊り下げた状態で取り付けることができる。かかる方法にて吊り下げ用金具Ｈを取り付けていることで、照明駆体２１にリベット孔等を穿設して取り付ける必要がなく、照明駆体２１の水密性を確保でき、かつ、強固に内照式サイン１０Ｂに吊り下げ用金具Ｈを設けることができ得る。【００４２】
更にまた、枠体６の固定部材６１の外側縁部に設けられた枢軸部６３に、可動部材６２に備えられ円弧状内面を有する嵌着部６４が回動可能に嵌着されて、可動部材６２が枢軸部６３を支点に開閉自在となされている。更に、可動部材６２と固定部材６１との間には板バネであるバネ７が設けられ、バネ７は、可動部材６２の開放角度が約４５度となされたときに開閉方向の付勢力が均衡する構造となされており、閉合状態では図５（ａ）に示す矢印Ｙ１の方向に付勢力がかけられて、前面板３を背面側に押し付けることで前側パッキン材８１が圧縮されて、前面板３と中間板５との間への水分等の侵入を防止することができる。前面板３を取り外す必要が生じた場合には、図５（ｂ）に示すように、可動部材６２を矢印Ｙ２の方向に回動させて開放することができるが、可動部材６２の開放角度が約４５度を超えた時点でバネ７による付勢力は開放方向である矢印Ｙ２の方向となされ、バネ７の付勢力により可動部材６２の開放状態が維持され、前面板３の取り外し及び取り付けを容易に行うことができる。【００４３】
可動部材６２を開放することで、前面板３は枠体６等から前面側αに自由に取り外すことができ、表示部１の変更を容易に行うことができ、また、交換後も可動部材６２を再度閉合することのみで、表示部１を水密性の高い状態に復帰させることができる。矢印Ｙ１及びＹ２の方向に付勢力を加えているのはバネ７であるから、かかる開放及び閉合はバネ７の弾性が失われるまで可能であり、頻繁に前面板３の付け外しを行う用途にも好適に用いることができる。【００４４】
図６に示すように、隅部材９と一体に設けられたビス止め部９１が固定部材６１と可動部材６２との間に嵌入され、ビス止め部９１に挿通されたビスＢ２が固定部材６１の取付溝６７に嵌着されたコーナー部材Ｃに螺着されることで、ビス止め部９１が固定部材６１に固定され、以て隅部材９が固定部材６１に取り付けられる。コーナー部材Ｃは直角に屈曲した板状体で、枠体６の四隅を直角に保つために取付溝６７に嵌着されてボルト等により固定部材６１に取り付けられるものであり、ビス止め部９１が配置される場所には必ず配置されているものである。更に、ビス止め部９１には、側面にねじ孔９１１が刻設されるとともに、そのねじ孔９１１に可動部材６２の側面から閉合された状態の可動部材６２に挿通されたビス（以下、締結手段と称す）Ｂ４が螺着される。ねじ孔９１１が予め刻設されていることで、締結手段Ｂ４は着脱自在となされるが、閉合時に締結手段Ｂ４が螺着されていることで、可動部材６２の閉合はバネ７の付勢力のみに頼ることがなくなり、突風等による外力により可動部材６２が開放状態となるのを防ぐことができる。また、締結手段Ｂ４は、その着脱を特殊工具により行うようにすれば、悪戯や盗難等による前面板３（及び／又は表示部１）の亡失を防止でき好ましい。【００４５】
隅部材９は、形成する材料を特に限定するものではなく、合成樹脂、金属、無機材料等を用いることができるが、ビス止め部９１により固定部材６１に取り付けるにおいては機械的強度及び靱性の高い金属材料を用いるのが好ましく、ビス止め部９１等の複雑な形状を一体に形成できるアルミニウム、亜鉛等の鋳物やダイカストを好適に用いることができる。また、締結手段Ｂ４により平面矩形の四辺を固定するのには、四隅の内の二隅に隅部材９を設け、それらに締結手段Ｂ４により計四箇所で可動部材６２を締結すれば締結手段Ｂ４による締結箇所も少なくできるが、枠体６が大型である場合等では、四隅にそれぞれ設けた隅部材９の全てに締結手段Ｂ４により計八箇所で締結することで、可動部材６２の固定をより確実なものとしてもよい。【００４６】
固定部材６１、可動部材６２、隅部材９及びコーナー部材Ｃを用いることで、枠体６を形成するには固定部材６１と可動部材６２とを所定の長さに切断し、コーナー部材Ｃ及び隅部材９を取り付けることで形成でき、作業が容易となるとともに、枠体６の大きさが様々なものであっても固定部材６１と可動部材６２とを任意の長さに切断して対応でき、部材類を共通のものとして部材点数の低減及びオーダーに対する迅速な対応が可能となり得る。【００４７】
図７に示すように、切欠き部Ｋは、固定部材６１の段差部６６の一部が切り欠かれて形成され、取付溝６７の一方の壁面が切除された状態となることで幅が拡大されて、前面板３の付け外しの作業が行い易くなされている。【００４８】
本実施形態において、表示部１は前面板３に設けられたもので、前面板３は透光性の板状体であり、その裏面側に印刷等により情報を描画して表示部１を形成しているものである。かかる前面板３を用いることで、前側パッキン材８１により前面板３の背面側に配置された表示部１への水分等の侵入が防止され、水分による屈折により描画された情報が滲んで見えたり、水分の接触による劣化の促進等を防止することができる。但し、表示部１は前面板３に設けられるものに限定されず、例えば前面板３の背後に白色のアクリル板に情報が描画された別体の表示部１を設けるようにすることもできる。【００４９】
本実施形態においては光源２として蛍光管を用いているが、特に限定されるものではなくハロゲンランプ、メタルハライドランプ、キセノンランプ、冷陰極管、発光ダイオード（ＬＥＤ）等も用いることができ、更にはエレクトリックルミネセンスやＬＥＤ等を用いた導光板等を用いることで小さい厚みで面状の発光を行うようにすることもできる。【００５０】
前側パッキン材８１及び後側パッキン材８２を形成する材料としては、第１の実施形態と同様に、弾性を有し、かつ、耐水性の高い合成樹脂を好適に用いることができ、天然ゴムやブタジエンスチレンゴム、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニル樹脂、スチレン−ブタジエン系やポリオレフィン系、ポリエステル系、ポリ塩化ビニル系、ポリウレタン系、ポリアミド系等のエラストマー等の各種合成ゴムや合成樹脂等からなる弾性材やそれらを発泡させたもの等を用いることができる。【００５１】
以上、本発明の第１の実施形態及び第２の実施形態について説明したが、本発明は第１の実施形態及び第２の実施形態に限定されることなく種々の変更が可能である。例えば、図８乃至図１０は、第２の実施形態を変更した各実施形態を示すものであり、第２の実施形態と同一又は相当部分には同一符号を付してその説明を省略する。【００５２】
図８は、第２の実施形態を変更した第３の実施形態の内照式サイン１０Ｃであって、照明駆体２１の折り返し部２１１の内側縁部を延長させて前面側αに向けてコ字状に折り曲げることで、折り返し部２１１の内側縁部全周に亘って雨樋の機能を有する折曲溝部２１２が設けられている。折曲溝部２１２は、その前面側先端部を枠体６の固定部材６１の段差部６６に嵌着させており、固定部材６１に挿通されたスタッドボルトＢ３に螺着したナットＮ３を締め込んで前面側先端部が固定部材６１の段差部６６に押えつけられることで、中間板５として働くようになされている。照明駆体２１の折曲溝部２１２が中間板５として働くことで、中間板５と後側パッキン材８２とを省略することができ、前側パッキン材８１は前面板３と照明駆体２１の折曲溝部２１２との間に圧縮して挟まれている。以上の点が第２の実施形態と異なっており、他の点は第２の実施形態と同様である。【００５３】
照明駆体２１の折り返し部２１１の内側縁部全周に亘って雨樋の機能を有する折曲溝部２１２が設けられたことで、降雨時等に吊り下げ用金具Ｈと固定部材６１との間等の小隙間から水分等が浸入しても、水分等は照明駆体２１の折曲溝部２１２内に流れ落ちて受け止められる。照明駆体２１の折曲溝部２１２内に受け止められた水分等は、折曲溝部２１２の前面側先端部が固定部材６１の段差部６６に押えつけられ、かつ、折曲溝部２１２と前面板３との間に前側パッキン材８１が圧縮して挟まれていることで、照明駆体２１内に浸入することはなく、折曲溝部２１２内を流れて照明駆体２１の側面下端部に折曲溝部２１２に臨んで開口された排出口（本図においては図示せず）から外部に排出される。これにより、照明駆体２１の内部での浸入水等による光源２の故障等を防止できる。【００５４】
図９は、第２の実施形態を変更した第４の実施形態の内照式サイン１０Ｄであって、照明駆体２１の背面に水平方向に細長いスリット状の換気口２１３が開口されるとともに、照明駆体２１の背面に換気口２１３の上方を覆うように下面開放ボックス状フード２１４が設けられている点が第２の実施形態と異なっており、他の点は第２の実施形態と同様である。【００５５】
照明駆体２１の背面に換気口２１３が開口されたことで、光源２の発熱により照明駆体２１の内部に湿気が発生しても、その湿気は換気口２１３からフード２１４内を通って外部に放出される。このため、照明駆体２１の内部では湿気による結露の発生を防止でき、結露による光源２の故障等を防止できる。また、照明駆体２１の背面に換気口２１３の上方を覆うように下面開口ボックス状のフード２１４が設けられたことで、換気口２１３から照明駆体２１の内部への雨水等の防止できる。【００５６】
図１０は、第２の実施形態を変更した第５の実施形態の内照式サイン１０Ｅであって、枠体６の可動部材６２の内側縁部に先端部を先端に向けて徐々に薄肉とした先端リップ部６８が延長させて設けられている。先端リップ部６８は、枠体６の可動部材６２が閉合された状態で、先端部を変形させながら前面板３の表面に当接して押し付けられるようになされている。先端リップ部６８は、先端部を先端に向けて徐々に薄肉としたことで、先端部を変形させながら前面板３の表面に押し付けた状態では、先端が前面板３の表面との間に段差が生じないようになっている。以上の点が第２の実施形態と異なっており、他の点は第２の実施形態と同様である。【００５７】
枠体６の可動部材６２の内側縁部に先端部を先端に向けて徐々に薄肉とした先端リップ部６８を設けたことにより、枠体６の可動部材６２を閉合した状態では、可動部材６２の先端リップ部６８の先端が前面板３の表面との間に段差が生じないように前面板３に押し付けられているので、可動部材６２の先端リップ部６８に手指を掛けることができない。従って、枠体６の可動部材６２は先端リップ部６８に特殊工具等を差込まない限り開放することができず、可動部材６２を容易に開放することは困難である。これにより、悪戯や盗難等による前面板３（及び／又は表示部１）の持ち去り等を防止できる。【００５８】
図１１は、第２の実施形態の内照式サイン１０Ｂの取付例を示すものであって、取り付け対象物Ｔに予めアンカーボルトＢ５をその先端部を突出して埋設し、このアンカーボルトＢ５の先端部に吊り下げ用金具Ｈの取付孔Ｈ１を嵌挿し、アンカーボルトＢ５の先端部から螺着した特殊ナットＮ５を締め込んで吊り下げ用金具Ｈを固定することで、取り付け対象物Ｔに内照式サイン１０Ｂを取り付けている。特殊ナットＮ５は、通常の工具では締弛が不可能なナットであり、管理者のみが保有する専用の工具により締弛が可能となるものである。特殊ナットＮ５は、例えば締弛を行う頭部が極めて特殊な形状に形成されており、この特殊な形状の頭部に嵌め合わせ可能な特殊な専用の工具を使用することによってのみ、締めたり弛めたりすることができるようになされている。【００５９】
取り付け対象物Ｔに内照式サイン１０Ｂを特殊ナットＮ５によって取り付けたことにより、特殊な専用工具等を用いない限り特殊ナットＮ５を締めたり弛めたりすることができず、取り付け対象物Ｔから内照式サイン１０Ｂを無断で取り外して持ち去る等の悪戯や盗難等を防止できる。【００６０】
尚、図１１に示す取付例では、取り付け対象物Ｔに予めアンカーボルトＢ５を埋設し、このアンカーボルトＢ５に特殊ナットＮ５を螺着することで内照式サイン１０Ｂを取り付け対象物Ｔに取り付けているが、取り付け対象物Ｔに予めアンカーナットを埋設するとともに、管理者のみが保有する専用の工具により締弛が可能な特殊ボルトを吊り下げ用金具Ｈの取付孔Ｈ１に挿通し、この特殊ボルトをアンカーナットに螺着して吊り下げ用金具Ｈを固定することで、取り付け対象物Ｔに内照式サイン１０Ｂを取り付けるようにすることもできる。
【図１】
2005096254.tif 000002
【図２】
2005096254.tif 000003
【図３】
2005096254.tif 000004
【図４】
2005096254.tif 000005
【図５】
2005096254.tif 000006
【図６】
2005096254.tif 000007
【図７】
2005096254.tif 000008
【図８】
2005096254.tif 000009
【図９】
2005096254.tif 000010
【図１０】
2005096254.tif 000011
【図１１】
2005096254.tif 000012
【国際調査報告】
2005096254.tif 000013
2005096254.tif 000014
2005096254.tif 000015
2005096254.tif 000016